(57)【要約】【課題】清掃パッドの交換頻度を低減することが可能な露光装置を提供すること。【解決手段】  感光体ドラム１０に静電潜像を形成するための露光装置１５であって、感光体ドラム１０に向かって光を射出する部分に設けられた防塵ガラス２２と、防塵ガラス２２を保持し、防塵ガラスの長手方向両端のうち少なくとも一方の端部の外側に形成された凹部２９を有するフレーム２１と、防塵ガラス２２面を清掃する清掃パッド２５と、清掃パッド２５を防塵ガラス２２の長手方向に往復移動させ、凹部２９の位置へ移動可能な搬送スパイラル２３及び移動部２４と、凹部２９において、清掃パッド２５を振動させるバネ部材２４５ｂ及び当接部２８とを備えた、露光装置である。【選択図】図６
2010066736.tif 000002
【特許請求の範囲】
【請求項１】
像担持体に静電潜像を形成するための露光装置であって、
前記像担持体に向かって光を射出する部分に設けられた防塵ガラスと、
前記防塵ガラスを保持し、前記防塵ガラスの長手方向両端のうち少なくとも一方の端部の外側に形成された凹部を有するフレームと、
前記防塵ガラス面を清掃する清掃部材と、
前記清掃部材を防塵ガラスの長手方向に往復移動させ、前記凹部の位置へ移動可能な移動手段と、
前記凹部において、前記清掃部材を振動させる振動手段とを備えた、露光装置。
【請求項２】
前記移動手段は、
前記防塵ガラスに沿って配置された棒状のネジ部材と、
前記ネジ部材に螺合され、前記ネジ部材の回転とともに前記ネジ部材の長手方向に、前記清掃部材を保持しながら移動可能な移動部とを有し、
前記振動手段は、
前記移動部が前記ネジ部材の一端に移動してきた場合、前記移動部を前記移動方向とは反対側に付勢するバネ部材を有し、
前記凹部は、
前記振動の際、前記清掃部材の下端が接触しない高さの底面を有している、請求項１記載の露光装置。
【請求項３】
前記振動手段は、
前記フレームに設けられた当接部を有し、
前記バネ部材は、
一端が前記移動部に固定されており、他端が、前記付勢の際に前記当接部に当接する、請求項２記載の露光装置。
【請求項４】
前記振動手段は、
前記フレームに設けられた固定部を有し、
前記バネ部材は、
一端が、前記固定部に固定されており、
他端が、前記付勢の際に、前記移動部に当接する、請求項２記載の露光装置。
【請求項５】
前記ネジ部材との螺合から解放された前記移動部が、前記バネ部材の弾性力により押し返されて、再び前記ネジ部材と螺合する前に、前記清掃部材が衝突する衝突部を更に備えた、請求項２記載の露光装置。
【請求項６】
前記衝突部は、前記凹部の前記防塵ガラス側の側面である、請求項５記載の露光装置。
【請求項７】
前記凹部は、前記防塵ガラスの長手方向両端のうち一方の端部の外側に形成され、
前記両端のうち他方の端部の外側には、前記清掃部材のホームポジションが設けられ、
前記ホームポジションには、前記凹部が形成されていない、請求項１記載の露光装置。
【請求項８】
像担持体と、
前記像担持体の表面を帯電させる帯電ユニットと、
前記帯電した前記像担持体の表面に、静電潜像を形成するために、前記像担持体の下方に配置された請求項１〜７のいずれかに記載の露光装置と、
前記静電潜像を現像することによって、前記像担持体の表面に現像剤画像を形成する現像ユニットと、
前記現像剤画像を記録媒体に転写するための転写ユニットと、
前記転写された現像剤画像を前記記録媒体に定着するための定着ユニットとを備えた、画像形成装置。
【発明の詳細な説明】
【技術分野】
【０００１】
本発明は、露光装置、及び画像形成装置に関する。
【背景技術】
【０００２】
電子写真方式による画像形成装置では、感光体ドラムの周辺に帯電装置、露光装置、現像装置、転写装置、クリーニング装置、及び除電装置等が設けられている。この帯電装置によって感光体ドラムの表面が一様に帯電された後、露光装置によって露光が行われて感光体ドラムの表面に静電潜像が形成され、現像装置によって現像される。その後、現像されたトナー画像は転写装置によって記録媒体上に転写される。そして、記録媒体は定着装置へと搬送されて定着された後、装置外へと排出される。
【０００３】
上記画像形成装置が複写機の場合には、読み取られた画像データに基づいて、露光装置がレーザー光を感光体ドラムに照射しているが、露光装置のレーザー出射部分には、飛散したトナーが露光装置内に侵入しないように防塵ガラスが設けられている。
【０００４】
この防塵ガラスには、飛散したトナーが付着することになるが、使用回数が増えると、透過率が低下し、画像データに対応した静電潜像を形成することが出来なくなる。
【０００５】
そのため、防塵ガラスを自動清掃する露光装置を有する画像形成装置が提案されている（例えば、特許文献１参照。）。特許文献１に示す構成の画像形成装置では、感光体ベルトの斜め下方に露光装置が配置されており、露光装置の防塵ガラスの長手方向に沿って往復運動可能に、清掃部材としての防塵ガラスクリーナーが設けられている。
【特許文献１】特開２００２−２６８３４１号公報
【発明の開示】
【発明が解決しようとする課題】
【０００６】
しかしながら、従来の露光装置では、回収したトナーが付着して清掃部材が汚れると、メンテナンス作業で交換しなければならなかった。また、交換せずに防塵ガラスのクリーニングを行った場合には、回収したトナーが飛散し防塵ガラスが汚れるという問題が発生していた。
【０００７】
本発明は、従来の露光装置の課題を考慮し、清掃部材の交換頻度を低減することが可能な露光装置、及び画像形成装置を提供することを目的とする。
【課題を解決するための手段】
【０００８】
上記目的を達成するために、第１の本発明は、
像担持体に静電潜像を形成するための露光装置であって、
前記像担持体に向かって光を射出する部分に設けられた防塵ガラスと、
前記防塵ガラスを保持し、前記防塵ガラスの長手方向両端のうち少なくとも一方の端部の外側に形成された凹部を有するフレームと、
前記防塵ガラス面を清掃する清掃部材と、
前記清掃部材を防塵ガラスの長手方向に往復移動させ、前記凹部の位置へ移動可能な移動手段と、
前記凹部において、前記清掃部材を振動させる振動手段とを備えた、露光装置である。
【０００９】
又、第２の本発明は、
前記移動手段は、
前記防塵ガラスに沿って配置された棒状のネジ部材と、
前記ネジ部材に螺合され、前記ネジ部材の回転とともに前記ネジ部材の長手方向に、前記清掃部材を保持しながら移動可能な移動部とを有し、
前記振動手段は、
前記移動部が前記ネジ部材の一端に移動してきた場合、前記移動部を前記移動方向とは反対側に付勢するバネ部材を有し、
前記凹部は、
前記振動の際、前記清掃部材の下端が接触しない高さの底面を有している、第１の本発明の露光装置である。
【００１０】
又、第３の本発明は、
前記振動手段は、
前記フレームに設けられた当接部を有し、
前記バネ部材は、
一端が前記移動部に固定されており、他端が、前記付勢の際に前記当接部に当接する、第２の本発明の露光装置である。
【００１１】
又、第４の本発明は、
前記振動手段は、
前記フレームに設けられた固定部を有し、
前記バネ部材は、
一端が、前記固定部に固定されており、
他端が、前記付勢の際に、前記移動部に当接する、第２の本発明の露光装置である。
【００１２】
又、第５の本発明は、
前記ネジ部材との螺合から解放された前記移動部が、前記バネ部材の弾性力により押し返されて、再び前記ネジ部材と螺合する前に、前記清掃部材が衝突する衝突部を更に備えた、第２の本発明の露光装置である。
【００１３】
又、第６の本発明は、
前記衝突部は、前記凹部の前記防塵ガラス側の側面である、第５の本発明の露光装置である。
【００１４】
又、第７の本発明は、
前記凹部は、前記防塵ガラスの長手方向両端のうち一方の端部の外側に形成され、
前記両端のうち他方の端部の外側には、前記清掃部材のホームポジションが設けられ、
前記ホームポジションには、前記凹部が形成されていない、第１の本発明の露光装置である。
【００１５】
又、第８の本発明は、
像担持体と、
前記像担持体の表面を帯電させる帯電ユニットと、
前記帯電した前記像担持体の表面に、静電潜像を形成するために、前記像担持体の下方に配置された第１〜７のいずれかの本発明の露光装置と、
前記静電潜像を現像することによって、前記像担持体の表面に現像剤画像を形成する現像ユニットと、
前記現像剤画像を記録媒体に転写するための転写ユニットと、
前記転写された現像剤画像を前記記録媒体に定着するための定着ユニットとを備えた、画像形成装置である。
【発明の効果】
【００１６】
本発明によれば、清掃部材の交換頻度を低減することが可能な露光装置、及び画像形成装置を提供することが出来る。
【発明を実施するための最良の形態】
【００１７】
以下に、本発明にかかる画像形成装置の一例としてのプリンタについて図面を用いて説明するとともに、本発明の露光装置の一例についても同時に述べる。
【００１８】
図１は、本発明の実施の形態１におけるプリンタ１の模式断面図である。
【００１９】
図１に示すように、本実施の形態１のプリンタ１は、底部に、画像が形成される用紙を収納するための給紙カセット２を備えている。
【００２０】
また、本実施の形態１におけるプリンタ１は、タンデム方式を用いたカラープリンタであり、ブラック用の画像形成ユニット３、イエロー用の画像形成ユニット４、シアン用の画像形成ユニット５、およびマゼンダ用の画像形成ユニット６を備えている。これら画像形成ユニット３、４、５、６によって形成された各画像を、用紙に転写する前に重ね合わせる中間転写ベルト７が配置されている。
【００２１】
この中間転写ベルト７上に形成されたトナー画像を、給紙カセット２から給紙された用紙に転写するための二次転写部８が設けられている。さらに、用紙に転写されたトナー画像を定着するための定着ユニット９が設けられている。
【００２２】
上記定着ユニット９によって、トナー画像が定着された用紙が排出される排出トレー１６が設けられている。
【００２３】
次に、画像形成ユニットについて説明するが、４つの画像形成ユニット３、４、５、６の基本的構成は同じであるため、ブラック用の画像形成ユニット３を例に挙げて説明する。
【００２４】
図１に示すように、ブラック用の画像形成ユニット３は、本発明の像担持体の一例である感光体ドラム１０、帯電ユニット１１、現像ユニット１２、およびクリーニングユニット１４等から構成されている。又、中間転写ベルト７を挟んで、感光体ドラム１０と対向して一次転写部１３が設けられている。また、４つの画像形成ユニット３、４、５、６の、それぞれの帯電ユニット１１によって帯電されたそれぞれの感光体ドラム１０の表面を光走査することによって静電潜像を形成する、レーザースキャナーユニット（以下、ＬＳＵと呼ぶ）１５が設けられている。このＬＳＵ１５は、４つの画像形成ユニット３、４、５、６の下方に配置されている。
【００２５】
図２は、本発明の露光装置の一例であるＬＳＵ１５の断面模式図である。図２には、光源から出射されたレーザー光のポリゴンミラー１７で反射された以降の光路を記載している。
【００２６】
図２に示されているように、ＬＳＵ１５には、ポリゴンミラー１７によって偏向されたレーザー光を各画像形成ユニット３、４、５、６の感光体ドラム１０に導くための複数の反射ミラー１８が設けられており、走査レンズ１９を通過したレーザー光を感光体ドラム１０の表面に結像するための複数の補正レンズ２０が設けられている。
【００２７】
上記走査レンズ１９および複数の補正レンズ２０によってｆθレンズ群が構成されている。これらの補正レンズ２０は、等角度走査されたレーザー光を、感光体ドラム１０表面上で等速走査させるための補正機能も有するが、主としては副走査方向のボウ補正の機能を有している。ＬＳＵ１５において、ポリゴンミラー１７、反射ミラー１８、走査レンズ１９、及び補正レンズ２０などの光学部品は、樹脂製で箱状のＬＳＵ１５のフレーム２１に収納されている。また、反射ミラー１８および補正レンズ２０は、それぞれ主走査方向に細長い形状をしている。
【００２８】
また、各画像形成ユニット３、４、５、６にレーザー光を出射するフレーム２１の部分には、上方から落下又は飛散するトナーが、ＬＳＵ１５内に侵入することを防止するために防塵ガラス２２がそれぞれ設けられている。
【００２９】
図３は、ＬＳＵ１５の外観斜視図である。尚、本実施の形態では、矢印Ａ方向が装置正面側となっており、矢印Ｂ方向が装置背面側となっている。ここで、ＬＳＵ１５の装置正面側の面を正面１５ａ、装置背面側の面を背面１５ｂとして図に示す。すなわち、最も奥に配置されている防塵ガラス２２からは、ブラック用の画像形成ユニット３の感光体ドラム１０を露光するレーザー光が出射されることになる（図１及び図２参照）。図３に示すように、ＬＳＵ１５の上面に４つの防塵ガラス２２が設けられており、これらの防塵ガラス２２は、主走査方向に長い矩形状である。又、フレーム２１の、それぞれの防塵ガラス２２の長手方向における両端位置には、軸受け３０ａ、３０ｂが設けられており、それぞれの防塵ガラス２２に沿って、軸受け３０ａ、３０ｂに回転可能に支持された搬送スパイラル２３が設けられている。この搬送スパイラル２３は、その表面に螺旋状に形成されたネジ山である凸状部２３１を有している。この搬送スパイラル２３が、本発明のネジ部材の一例に相当する。
【００３０】
又、搬送スパイラル２３には、防塵ガラス２２を清掃するための清掃パッド２５を着脱自在に保持する移動部２４が設けられている。尚、４つの防塵ガラス２２の両端近傍の構成はいずれも同様であるため、図３において最も紙面奥方向に配置されている防塵ガラス２２の両端近傍の構成について説明する。
【００３１】
図４（ａ）は、図３のＳ部拡大図である。図４（ｂ）は、移動部２４及び清掃パッド２５の外観図である。尚、図４（ｂ）は、図４（ａ）の反対側から見た斜視図である。図４（ｂ）に示すように、移動部２４は、搬送スパイラル２３の凸状部２３１に螺合する、ネジ状の凸状部２４１（図７（ａ）にて後述する）が内側に形成された筒状部２４２と、清掃パッド２５を着脱可能に把持する把持部２４４と、把持部２４４と筒状部２４２の間に設けられているバネ取り付け部２４３とから構成されている。このバネ取り付け部２４３には、２つのバネ部材２４５ａ、ｂが取り付けられており、これら２つのバネ部材２４５ａ、ｂは、清掃パッド２５の主面２５ｂに対して垂直方向に設けられている。尚、正面１５ａ側に配置されているバネ部材を２４５ａとし、背面１５ｂ側に配置されているバネ部材を２４５ｂとする。又、本発明の清掃部材の一例に相当する清掃パッド２５は、ゴム等によって形成されているが、スポンジなどで形成されていてもよい。
【００３２】
また、図４（ａ）に示すように、防塵ガラス２２の長手方向に沿って、２本のレール２６、２７が設けられている。２本のうちレール２６は、搬送スパイラル２３と防塵ガラス２２の間に設けられており、レール２７は、防塵ガラス２２を挟んでレール２６に対向して設けられている。図４（ｂ）に示す移動部２４とレール２６、２７との位置関係について説明すると、図４（ａ）に示すように、レール２６が、バネ取り付け部２４３の下側に配置され、レール２７は、図４（ｂ）に示す把持部２４４に形成されたレール貫通部２４６を通して配置されている。
【００３３】
又、図４（ａ）に示すように、防塵ガラス２２の長手方向外側には、バネ部材２４５ａが当接する当接部２８が設けられている。尚、図４（ａ）に示すように、防塵ガラス２２の正面１５ａ側のフレーム２１上の位置が、移動部２４のホームポジションとなっており、通常は、この位置で待機している。また、ホームポジションでは、清掃パッド２5は、防塵ガラス２２には接触していない。尚、防塵ガラス２２の正面１５ａ側の端が２２ａとして示されている。
【００３４】
図５（ａ）は、図３のＴ部の拡大図である。この図５（ａ）は、図４（ａ）に示したホームポジションに対向した、ＬＳＵ１５の背面１５ｂ側の端近傍を示す図である。又、図５（ｂ）は、図５（ａ）のＸＸ´の断面図である。この図５（ａ）に示すように、ホームポジションと反対側の背面１５ｂ側の端にも、当接部２８が設けられている。また、図５（ｂ）に示すように、防塵ガラス２２と背面１５ｂの間に、凹部２９が形成されている。凹部２９の底面３１は、防塵ガラス２２側から背面１５ｂに向かって階段状に低くなるように形成されている。また、底面３１は、清掃パッド２５の下端が接触しない高さに形成されている。尚、ホームポジション側には凹部２９が形成されておらず、防塵ガラス２２から正面１５ａまでのフレーム２１の部分は、防塵ガラス２２と実質上同一面上に位置している。又、図５（ａ）中の３３は、移動部２４が背面１５ｂ側の端に移動してきた際に、背面１５ｂ側の部品に接触することを防ぐための保護板である。
【００３５】
以上のような構成の本実施の形態１のプリンタ１の画像形成動作について説明する。
【００３６】
パーソナルコンピュータなどから送信されてきた画像データに基づいて、帯電ユニット１１によって一様に帯電された、画像形成ユニット３、４、５、６のそれぞれの感光体ドラム１０の表面に、ＬＳＵ１５から出射されるレーザー光によって静電潜像が形成される。
【００３７】
そして、各画像形成ユニット３、４、５、６において、現像ユニット１２から供給されるトナーによって、各感光体ドラム１０の静電潜像が現像される。この４つの感光体ドラム１０上に形成されたトナー画像が、中間転写ベルト７に重ね合わされる。
【００３８】
同時に、給紙カセット２から用紙が給紙され、二次転写部８によって中間転写ベルト７上で重ね合わされたトナー画像が紙上に転写される。そして、定着ユニット９にてトナー画像の定着された用紙が、排出トレー１６に排出される（図１参照）。
【００３９】
このような画像形成動作が複数回行われると、感光体ドラム１０の下方に配置された防塵ガラス２２上にトナーが落下し、防塵ガラス２２の透過性が悪くなる。そこで、画像形成動作が、予め決められた所定回数行われた場合に、非画像形成時において防塵ガラス２２の清掃動作が行われる。
【００４０】
以下に、本実施の形態１のプリンタ１における防塵ガラスの清掃動作について図６及び図７（ａ）〜（ｈ）を参照して説明する。
【００４１】
防塵ガラス２２の清掃動作を行う際、移動部２４は、始めは図４（ａ）に示すホームポジションに配置されている。そして、搬送スパイラル２３の回転により、図６に示すように、移動部２４が背面１５ｂ側（矢印Ｂ方向）へと移動する。その際、清掃パッド２５の下端２５ａによって防塵ガラス２２の面に付着したトナーや埃などが取り除かれる。
【００４２】
一方、図７（ａ）は、図６を模式的に示した図である。尚、図７（ａ）では、筒状部２４２は、その断面構成が示されており、内側にネジ状の凸状部２４１が示されている。又、レール２６は図示を省略している。尚、凸状部２４１の正面１５ａ側（矢印Ａ方向）の端を２４１ａとし、搬送スパイラル２３の凸状部２３１の背面１５ｂ側（矢印Ｂ方向）の端を２３１ｂとする。又、図７（ａ）には、搬送スパイラル２３の回転方向が矢印Ｃで示されている。
【００４３】
図７（ａ）に示す状態から、矢印Ｃ方向に搬送スパイラル２３を回転すると、清掃パッド２５が防塵ガラス２２の背面１５ｂ側の端２２ｂを過ぎて、凹部２９へと移動する。この状態が、図７（ｂ）に示されている。ここで、図７（ａ）で示したように、清掃パッド２５は、湾曲しながら移動しており、凹部２９に入り込む際に、図７（ｂ）に示すように、弾性力によって清掃パッド２５の下端２５ａが鉛直方向に移動（矢印Ｅ参照）し、付着したトナーが凹部２９内に落下する。尚、図７（ｂ）には、湾曲した状態の清掃パッド２５が一点鎖線で示されている。
【００４４】
図７（ｂ）に示す状態から、更に搬送スパイラル２３をＣ方向に回転させると、バネ部材２４５ｂが当接部２８に押し当てられて圧縮され、バネ部材２４５ｂが縮む。そして、図７（ｃ）に示すように、搬送スパイラル２３の凸状部２３１の端２３１ｂによって、筒状部２４２の凸状部２４１の端２４１ａが押圧されている状態の時、バネ部材２４５ｂが最も縮んだ状態となる。
【００４５】
図７（ｃ）に示す状態から、搬送スパイラル２３を更にＣ方向に回転させると、図７（ｄ）に示すように、凸状部２３１の端２３１ｂと、凸状部２３１の端２３１ａの接触が解放される。この解放によって、移動部２４は、矢印Ｂ方向へ移動させる力から解放され、圧縮されたバネ部材２４５ｂの弾性力によって付勢され、矢印Ａ方向に戻ろうとする。この端２３１ｂと端２３１ａの接触の解放が、本発明のネジ部材と移動部の螺合が解放されることの一例に相当する。又、本発明のバネ部材の一例は、本実施の形態のバネ部材２４５ｂに相当する。
【００４６】
図７（ｄ）に示す状態から、バネ部材２４５ｂによって付勢され、移動部２４が矢印Ａ方向に移動すると、図７（ｅ）に示すように、清掃パッド２５が、凹部２９の側面３２に衝突し、移動部２４は停止する。この衝突により、清掃パッド２５５に付着したトナーや埃を凹部２９内に落下させることが出来る。なお、このときにも搬送スパイラル２３は矢印Ｃ方向に回転している。
【００４７】
図７（ｅ）に示す状態から、搬送スパイラル２３を更に矢印Ｃ方向に回転させると、図７（ｆ）に示すように、搬送スパイラル２３の凸状部２３１が、正面１５ａ側から筒状部２４２の凸状部２４１に当接する。この凸状部２３１と凸状部２４１の接触が、本発明のネジ部材と移動部が螺合することの一例に相当する。
【００４８】
図７（ｆ）に示す状態から、搬送スパイラル２３を更に矢印Ｃ方向に回転させると、搬送スパイラル２３の回転とともに移動部２４が矢印Ｂ方向に移動し、図７（ｇ）に示す状態となる。図７（ｇ）に示す状態は、図７（ｃ）と同じ状態であり、バネ部材２４５ｂが最も縮んでいる。ここから、図７（ｆ）までの動きが繰り返され、移動部２４は搬送スパイラル２３の端で振動することになり、振動の度に清掃パッド２5は側面３２に衝突し、トナーや埃が凹部２９内に落下する。
【００４９】
そして、所定時間、振動をさせて清掃パッド２５に付着しているトナーを十分落下させた後、搬送スパイラル２３を矢印Ｃ方向と逆回転することにより移動部２４は矢印Ａ方向へと移動する。ここで、バネ部材２４５ｂの弾性力によって押し返された状態は、例えば図７（ｅ）の状態に相当するが、この状態から、矢印Ｃと逆回転（矢印Ｄ方向）させると、凸状部２３１の端２３１ｂの位置が、凸状部２４１の端２４１ａの位置よりも背面１５ｂ側にあるため、図７（ｈ）に示すように、凸状部２３１が凸状部２４１に背面１５ｂ側から当接することになり、矢印Ｄ方向への搬送スパイラル２３の回転により移動部２４は矢印Ａ方向へと移動する。尚、清掃パッド２５が、凹部２９の側面３２を乗り越えて、防塵ガラス２２へと移動する際、清掃パッド２５の引っかかりを抑制するために、側面３２の上端に面取り加工が施されている(図７（ｈ）符号３４参照)。
【００５０】
そして、防塵ガラス２２の端２２ａと正面１５ａの間のフレーム２１上（ホームポジション）で待機することになる。このホームポジションでは、清掃パッド２５は防塵ガラス２２には接触していない。
【００５１】
以上のように、本実施の形態では、防塵ガラス２２を清掃する清掃パッド２５に付着したトナーや埃を振動によって落下させているため、清掃パッド２５が汚れることを抑制出来、清掃パッド２５の交換頻度を少なくすることが出来る。
【００５２】
又、清掃パッド２５の振動、及び側面３２への衝突によって、凹部２９側だけでなく、防塵ガラス２２側にトナーが落下する場合もあるが、落下したトナーは、移動部２４がホームポジションに戻る際に、清掃パッド２５によって拭き取られ、ホームポジションへと運ばれるため、防塵ガラス２２上にトナーが残留することを防止出来る。
【００５３】
尚、上記実施の形態では、ホームポジション側にも当接部２８が設けられており、ホームポジション側の端に移動部２４が移動してきた時には、正面１５ａ側のバネ部材２４５ａと接触することになる。仮に、バネ部材２４５ａが設けられていない場合には、移動部２４を正面１５ａ側に移動させた際に、凸状部２４１の正面１５ａ側の端よりも外側に凸状部２３１が移動すると、搬送スパイラル２３を回転させたとしても凸状部２３１、２４１が螺合していないため移動部２４を移動させることが出来なくなる。しかしながら、バネ部材２４５ａを設けることにより、バネ部材２４５ａによって移動部２４は凸状部２３１側に押し返されるため凸状部同士が螺合し、移動部２４を背面１５ｂ側に移動させることが出来る。このように、ホームポジションにおいても、筒状部２４２の凸状部２４１を搬送スパイラル２３の凸状部２３１に螺合させるためには、バネ部材２４５ａ、及び正面１５ａ側の当接部２８は設けられていた方が好ましい。但し、搬送スパイラル２３の凸状部２３１が、ホームポジションの位置よりも外側まで形成されている場合には、バネ部材２４５ａ及び正面１５ａ側の当接部２８は設けられていなくても良い。
【００５４】
又、本発明の移動手段の一例は、本実施の形態の搬送スパイラル２３及び移動部２４に相当するが、このような構成に限らなくてもよく、例えば、搬送スパイラル２３の代わりに搬送ベルトなどを設けて、その搬送ベルトに移動部２４を固定し、搬送ベルトを回転させることによって移動部２４を移動させてもよい。
【００５５】
又、本発明の振動手段の一例は、本実施の形態のバネ部材２４５ｂ及び当接部２８に相当するが、このような構成でなく、例えば、上記搬送ベルトを正逆回転させることを繰り返して清掃パッドを振動させても良い。要するに、本発明の清掃部材の一例である清掃パッドを凹部において、振動させることが出来さえすればよい。
【００５６】
又、本実施の形態では、バネ部材２４５ａ、ｂは、一端が移動部２４側に固定されており、移動部２４が端に移動してきた時に、他端が当接部２８に当接するが、バネ部材２４５ａ、ｂの一端が本実施の形態の当接部２８に固定されており、他端が開放されていてもよい。この場合、移動部２４が端に移動してきた時に、バネ部材２４５ａ、ｂの他端が移動部２４に当接することになる。尚、このバネ部材２４５ｂの一端が固定されている当接部２８は、本発明の固定部の一例に相当する。
【００５７】
又、筒状部２４１内の凸状部２４２は、ネジ状に形成されていなくてもよく、少なくとも搬送スパイラル２３の凸状部２３１に当接するための凸部が形成されていればよい。
【００５８】
又、上記実施の形態では、底面３１は階段状になっているが平面であってもよい。
【００５９】
又、本実施の形態では、往復運動の度に、清掃パッドが側面３２に衝突しているが、複数回の往復運動毎に一回衝突してもよい。
【００６０】
又、本発明の衝突部の一例は、本実施の形態の側面３２に相当するが、側面３２に限らず、底面３１に凸部を形成して、その凸部に清掃パッド２５を衝突させる構成としてもよい。
【００６１】
又、本実施の形態では、移動部２４の振動の最中に清掃パッド２５が側面３２に衝突しているが、振動の最中に清掃パッド２５が衝突しない構成であってもよい。このような構成としては、側面３２の位置が、正面１５ａよりに配置されている構成が考えられる。すなわち、衝突する前に、搬送スパイラル２３と移動部２４が螺合する場合である。
【００６２】
このように衝突しない場合であっても、凹部２９内において清掃パッド２５を振動させ、付着されたトナーや埃が凹部２９内に落下するので、防塵ガラス２２へのトナーの落下を低減させるとともに、清掃パッド２５の交換頻度も少なくすることが出来る。但し、清掃パッド２５の下端２５ａが底面３１に接触しない状態で、移動部２４に振動が加えられると、下端２５ａが底面に接触している場合よりも、清掃パッド２５の振動が大きいため、付着トナーが清掃パッド２５からより落下しやすいという効果が得られる。そのため、底面３１は、清掃パッド２５の下端２５ａが接触しない高さに形成されている方がより好ましい。
【００６３】
又、本実施の形態では、ホームポジションには凹部２９が形成されていないが、ホームポジション側においても、凹部２９を形成して、凹部２９において清掃パッド２５を振動させてもよい。但し、凹部２９と防塵ガラス２２の間の距離が近い場合には、振動や衝突によって清掃パッド２５から振り落とされたトナーや埃が防塵ガラス２２に落下する可能性があるため、ホームポジションには凹部を形成しない方が好ましい。
【００６４】
又、本実施の形態の凹部２９の位置に、着脱可能なトナー容器を配置してもよく、落下したトナーを容易に清掃することが可能となる。
【００６５】
又、本発明の転写ユニットの一例は、本実施の形態のプリンタの一次転写部１３、中間転写ベルト７、及び二次転写部８に相当するが、中間転写ベルト７及び二次転写部８が設けられてない構成であってもよい。このような構成としては、４つの感光体ドラム１０と一次転写部の間を紙が搬送され、感光体ドラムのトナー画像が直接紙に転写されるタンデム型のプリンタが挙げられる。
【００６６】
又、上記実施の形態では、本発明の露光装置をカラープリンタに適用していたが、モノクロのプリンタのＬＳＵに適用しても良い。
【産業上の利用可能性】
【００６７】
本発明の露光装置は、清掃部材の交換作業の頻度を低減することが可能な効果を有し、画像形成装置等として有用である。
【図面の簡単な説明】
【００６８】
【図１】本発明にかかる実施の形態１におけるプリンタ１の正面模式図
【図２】本発明にかかる実施の形態１におけるプリンタ１のＬＳＵ１５の正面模式図
【図３】本発明にかかる実施の形態１におけるプリンタ１のＬＳＵ１５の外観図
【図４（ａ）】図３のＳ部拡大図
【図４（ｂ）】本発明にかかる実施の形態１におけるプリンタ１の移動部２４の外観図
【図５】（ａ）図３のＴ部拡大図、（ｂ）（ａ）のＸＸ´断面図
【図６】本発明にかかる実施の形態１におけるプリンタ１の移動部２４が移動している状態を示す図５（ｂ）と同様の位置の断面図
【図７（ａ）】本発明にかかる実施の形態１におけるプリンタ１の移動部２４が移動している状態を説明するための模式図
【図７（ｂ）】本発明にかかる実施の形態１におけるプリンタ１の移動部２４の振動状態を説明するための模式図
【図７（ｃ）】本発明にかかる実施の形態１におけるプリンタ１の移動部２４の振動状態を説明するための模式図
【図７（ｄ）】本発明にかかる実施の形態１におけるプリンタ１の移動部２４の振動状態を説明するための模式図
【図７（ｅ）】本発明にかかる実施の形態１におけるプリンタ１の移動部２４の振動状態を説明するための模式図
【図７（ｆ）】本発明にかかる実施の形態１におけるプリンタ１の移動部２４の振動状態を説明するための模式図
【図７（ｇ）】本発明にかかる実施の形態１におけるプリンタ１の移動部２４の振動状態を説明するための模式図
【図７（ｈ）】本発明にかかる実施の形態１におけるプリンタ１の移動部２４の移動状態を説明するための模式図
【符号の説明】
【００６９】
１  プリンタ
２  給紙カセット
３、４、５、６  画像形成ユニット
７  中間転写ベルト
８  二次転写部
９  定着ユニット
１０  感光体ドラム
１１  帯電ユニット
１２  現像ユニット
１３  一次転写部
１４  クリーニングユニット
１５  ＬＳＵ
１６  排出トレー
１７  ポリゴンミラー
１８  反射ミラー
１９  走査レンズ
２０  補正レンズ
２１  フレーム
２２  防塵ガラス
２３  搬送スパイラル
２４  移動部
２５  清掃パッド
２６  、２７  レール
２８  当接部
２９  凹部
３０ａ、３０ｂ  軸受け
３１  底面
３２  側面
【図１】
2010066736.tif 000003
【図２】
2010066736.tif 000004
【図３】
2010066736.tif 000005
【図４（ａ）】
2010066736.tif 000006
【図４（ｂ）】
2010066736.tif 000007
【図５】
2010066736.tif 000008
【図６】
2010066736.tif 000009
【図７（ａ）】
2010066736.tif 000010
【図７（ｂ）】
2010066736.tif 000011
【図７（ｃ）】
2010066736.tif 000012
【図７（ｄ）】
2010066736.tif 000013
【図７（ｅ）】
2010066736.tif 000014
【図７（ｆ）】
2010066736.tif 000015
【図７（ｇ）】
2010066736.tif 000016
【図７（ｈ）】
2010066736.tif 000017